(57)【要約】      （修正有）【課題】レーザ光線を発射する模擬銃のレーザ光線発射方向と照準がずれていた場合、どの程度、どの方向にずれているかが分る様にし、照準の校正が能率よく行えるレーザ照準校正装置を提供する。【解決手段】レーザ光線を発射する模擬銃から発射したレーザ光の方向が、前記模擬銃の照準線に対して正しく校正されているか確認する為のレーザ照準校正装置であって、標的板１６と、該標的板１６に着脱可能な複数個の受光部１２と、該受光部１２のそれぞれに対応して設けられて前記受光部１２がレーザ光を受光したときに点灯する、前記標的板１６に着脱可能な複数個の現示部１３とを備える。【選択図】図３
2009300004.tif 000002
【特許請求の範囲】
【請求項１】
レーザ発射装置から発射したレーザ光の方向が前記レーザ発射装置の照準線に対して正しく校正されているか確認する為のレーザ照準校正装置であって、標的板と、該標的板に着脱可能な複数個の受光部と、該受光部のそれぞれに対応して設けられて前記受光部がレーザ光を受光したときに点灯する、前記標的板に着脱可能な複数個の現示部とを備えることを特徴とするレーザ照準校正装置。
【発明の詳細な説明】
【技術分野】
【０００１】
本発明は、レーザ光線を射出する模擬銃のレーザ光線射出方向と、模擬銃の照準との一致状態を確認し、レーザ照準校正を行うレーザ照準校正装置に関するものである。
【背景技術】
【０００２】
射撃訓練には、レーザ光線を照射する模擬銃が使用されるが、模擬銃が訓練に使用される前に、模擬銃から射出されるレーザ光線が照準と合致する様に、即ち模擬銃の照準望遠鏡の光軸とレーザ光線の光軸が平行となる様に校正が行われる。
【０００３】
レーザ照準校正装置は、レーザ光線を受光し、電気信号を発する受光部（標的）、該受光部からの受光信号に基づきＬＥＤ等を点灯表示する現示部を有している。
【０００４】
模擬銃の校正時には、射撃位置から所要距離、例えば１０ｍ〜２０ｍ離れた位置にレーザ照準校正装置が設置され、模擬銃に設けられた照準望遠鏡で標的中心を視準し、レーザ光線を発する。レーザ光線の射出方向（光軸）が正しく照準されていれば、レーザ光線が標的即ち受光部に命中し、即ち該受光部は受光信号を発し、前記現示部は受光信号に基づき点灯される。
【０００５】
該現示部の点灯の有無により、レーザ光線の光軸が正しく照準されているか、或はずれているかが分る。
【０００６】
図７は、従来のレーザ照準校正装置１を示しており、自立可能なフレーム２に複数枚のパネル３が取付けられ、一枚が標的板４となっている。該標的板４には照準望遠鏡の照準中心であるレチクル５が印され、又所要部分が刳抜かれ、固定受光部（レーザ光線の標的）６、固定現示部７が一体に設けられている。前記固定受光部６、前記固定現示部７の前記フレーム２への取付けは、前記標的板４を介して取付けられる。
【０００７】
尚、前記レチクル５と前記固定受光部６とがずれているのは、模擬銃に取付けられた照準望遠鏡の光軸とレーザ光線の光軸とが所定の間隔で平行となっていることに対応している。
【０００８】
照準望遠鏡により前記レチクル５を視準し、模擬銃からレーザ光線を射出する。照準望遠鏡の光軸とレーザ光線の光軸が正しく合致していれば、即ち平行であれば、レーザ光線は前記固定受光部６に命中する。又、前記固定現示部７が点灯して、命中したことを告示する。
【０００９】
又、照準望遠鏡の光軸とレーザ光線の光軸とがずれていると、レーザ光線は前記固定受光部６に入射しないので、受光を感知せず、前記固定現示部７が点灯されない。
【００１０】
上記従来のレーザ照準校正装置１では、照準が正しい場合は、検知できるが、ずれていた場合は、どの方向にどの程度ずれていたかが分らない為、照準を校正する場合、時間と手間が掛っていた。
【００１１】
尚、標的装置としては、特許文献１に示されるものがある。
【００１２】
【特許文献１】特開２００６−２５０４０５号公報
【発明の開示】
【発明が解決しようとする課題】
【００１３】
本発明は斯かる実情に鑑み、照準がずれていた場合、どの程度、どの方向にずれているかが分る様にし、照準の校正が能率よく行える様にしたものである。
【課題を解決するための手段】
【００１４】
本発明は、レーザ発射装置から発射したレーザ光の方向が前記レーザ発射装置の照準線に対して正しく校正されているか確認する為のレーザ照準校正装置であって、標的板と、該標的板に着脱可能な複数個の受光部と、該受光部のそれぞれに対応して設けられて前記受光部がレーザ光を受光したときに点灯する、前記標的板に着脱可能な複数個の現示部とを備えるレーザ照準校正装置に係るものである。
【発明の効果】
【００１５】
本発明によれば、レーザ発射装置から発射したレーザ光の方向が前記レーザ発射装置の照準線に対して正しく校正されているか確認する為のレーザ照準校正装置であって、標的板と、該標的板に着脱可能な複数個の受光部と、該受光部のそれぞれに対応して設けられて前記受光部がレーザ光を受光したときに点灯する、前記標的板に着脱可能な複数個の現示部とを備えるので、照準のずれについて方向、ずれ量を具体的に認識でき、照準の校正が容易に行えるという優れた効果を発揮する。
【発明を実施するための最良の形態】
【００１６】
以下、図面を参照しつつ本発明を実施する為の最良の形態を説明する。
【００１７】
図１〜図６は本発明に係るレーザ照準校正装置を示しており、該レーザ照準校正装置は、主にレーザ照準校正装置本体１１、及び該レーザ照準校正装置本体１１に所要数装着される固定受光部６、受光部１２、固定現示部７、現示部１３から構成される。
【００１８】
先ず、図１、図２により、前記レーザ照準校正装置本体１１を説明する。
【００１９】
該レーザ照準校正装置本体１１は、自立可能なフレーム１４、標的ユニット１５、標的板１６を具備している。
【００２０】
前記標的ユニット１５は前記フレーム１４の略中央に取付けられる。前記標的ユニット１５は、前記固定受光部６及び前記固定現示部７と、該固定受光部６からの受光信号の処理、前記固定現示部７の点灯、点滅の制御等を行う制御ボックス１７とを有し、該制御ボックス１７は前記フレーム１４に取付けられ、前記制御ボックス１７は複数のコネクタ１８を有し、前記受光部１２、前記現示部１３が前記コネクタ１８を介して接続可能となっている。尚、前記固定受光部６と前記受光部１２、前記固定現示部７と前記現示部１３とは同一の構造とする。
【００２１】
前記フレーム１４の中央には前記標的板１６が取付けられ、該標的板１６には開口部１９が穿設され、又該開口部１９に近接してレチクル５が印されている。前記固定現示部７、前記固定受光部６は前記開口部１９を通して露出し、前記標的板１６は前記固定現示部７、前記固定受光部６の周囲に所要の範囲で広がっている。
【００２２】
前記レチクル５と前記固定受光部６の中心とのずれは、照準望遠鏡の光軸に対するレーザ光線の光軸が正しく校正されているときの各軸線の間隔と一致している。前記標的板１６は、単独で前記フレーム１４に取付けられ、模擬銃に合せ、又訓練の内容に合わせて交換が可能である。
【００２３】
前記標的板１６の材質は、鉄或は鉄系等の材質であり、磁性体材料が用いられる。
【００２４】
前記受光部１２は、該受光部１２から延出するケーブル（図示せず）が前記コネクタ１８を介して前記制御ボックス１７に接続可能であり、背面にはマグネット（図示せず）が取付けられ、前記標的板１６の任意の位置に、着脱が可能となっている。
【００２５】
前記現示部１３は、該現示部１３から延出するケーブル（図示せず）が前記コネクタ１８を介して前記制御ボックス１７に接続可能であり、背面にはマグネット（図示せず）が取付けられ、前記現示部１３と同様前記標的板１６の任意の位置に、着脱が可能となっている。尚、前記受光部１２と前記現示部１３とは一体化し、１つの受光・現示ユニットとしてもよい。
【００２６】
図３は、前記レーザ照準校正装置本体１１に前記受光部１２、前記現示部１３を適宜位置、適宜数装着した状態を示している。
【００２７】
前記受光部１２と前記現示部１３の装着は、前記標的板１６にマグネットを介して吸着され、更に前記受光部１２、前記現示部１３を前記ケーブル（図示せず）、前記コネクタ１８を介して前記標的ユニット１５に接続する。
【００２８】
図６は模擬銃２１と前記レーザ照準校正装置本体１１との関係を示している。尚、図６では、前記受光部１２、前記現示部１３を省略し、簡略化している。
【００２９】
図中、２２は照準望遠鏡、２３は照準光軸、２４は射出されるレーザ光線の光軸を示している。
【００３０】
前記照準光軸２３と前記光軸２４とが正しく校正されていれば、前記照準光軸２３が前記レチクル５を視準した状態で、レーザ光線が前記固定受光部６に命中する。
【００３１】
前記固定現示部７は前記固定受光部６がレーザ光線を受光すれば、ＬＥＤ等の発光部を発光させるが、前記固定受光部６の受光状態に応じて点灯の状態を変化させる。
【００３２】
例えば、レーザ光線が前記固定受光部６の中心に命中した場合（以下命中）は、前記固定現示部７を連続点灯する。又、レーザ光線が前記固定受光部６の端に命中した場合（以下至近）は、前記固定現示部７を点滅させる。前記固定受光部６に命中しなかった場合は、前記固定現示部７は点灯しない。この場合、前記固定受光部６は複数の受光素子から構成され、前記制御ボックス１７に於いて前記固定受光部６を構成する受光素子のいずれかがレーザ光線を受光したかの判定を行う。
【００３３】
レーザ光線が完全に前記固定受光部６から外れた場合は、周辺のいずれかの前記受光部１２に命中し、命中した該受光部１２と対応する前記現示部１３を点灯表示させる。この場合も、命中と至近とで該現示部１３の表示状態を変えてもよい。
【００３４】
レーザ光線が前記固定受光部６からずれた場合も、周辺のいずれかの前記受光部１２が受光し、前記現示部１３が点灯するので、どちらの方向にどの程度ずれているが把握でき、照準校正を容易に行える。
【００３５】
尚、前記受光部１２、前記現示部１３の数、位置は前記模擬銃２１に合わせ、又訓練の内容に合わせて、適宜変更される。
【００３６】
例えば、着弾位置から所定の範囲に影響が及ぶことを模擬する為にレーザ光線を拡散して発射した場合には、前記固定受光部６が受光したとしてもレーザ光線の前記光軸２４が前記照準光軸２３に対して正しく校正されているとは限らない。
【００３７】
本発明にあっては、この様な場合であっても、図４に示す様に前記固定受光部６の周囲に複数の前記受光部１２をレーザ光線の拡散幅に合わせて適宜に配置し、どの前記現示部１３が点灯しているか確認することで、レーザ光線の前記光軸２４がどの方向にどの程度ずれているかを認識することができる。尚、図４（Ａ）はずれがない場合を示し、図４（Ｂ）はずれがある場合を示し、図中ハッチングは前記現示部１３が点灯していることを示している。
【００３８】
又、レーザ光線の拡散幅は、例えば模擬する火器に応じて変更されるが、拡散幅は発射位置からの距離によって変化する（通常は遠くなるに従って拡散幅は大きくなる）為、模擬する火器の射程範囲内の任意の距離で任意の拡散幅となる様に設定される。従って図５に示す様に前記模擬銃（砲）２１から前記標的板１６までの距離に応じて前記受光部１２の配置（固定受光部６からの離間距離）を変更することで、前記標的板の位置に関わらず前記模擬銃２１の前記光軸２４の校正を行うことができる。
【００３９】
又、前記受光部１２、前記現示部１３は着脱可能であるので、レーザ照準校正後、通常の射撃訓練を行う場合、前記受光部１２と前記現示部１３を取外して標的装置としてレーザ照準校正装置を使用することができる。
【図面の簡単な説明】
【００４０】
【図１】本発明の実施の形態に係るレーザ照準校正装置を示す斜視図である。
【図２】該レーザ照準校正装置で標的板を取外した状態の斜視図である。
【図３】該レーザ照準校正装置で受光部、現示部を装着した状態の斜視図である。
【図４】（Ａ）（Ｂ）は、レーザ光線照射範囲との関係を示す説明図である。
【図５】前記受光部、前記現示部の配置を変更した場合の説明図である。
【図６】前記レーザ照準校正装置の使用状態を示した斜視図である。
【図７】従来のレーザ照準校正装置を示す正面図である。
【符号の説明】
【００４１】
５              レチクル
６              固定受光部
７              固定現示部
１１            レーザ照準校正装置本体
１２            受光部
１３            現示部
１４            フレーム
１５            標的ユニット
１６            標的板
２２            照準望遠鏡
２３            照準光軸
２４            光軸
【図１】
2009300004.tif 000003
【図２】
2009300004.tif 000004
【図３】
2009300004.tif 000005
【図４】
2009300004.tif 000006
【図５】
2009300004.tif 000007
【図６】
2009300004.tif 000008
【図７】
2009300004.tif 000009